(57)【要約】【課題】腕時計型の情報表示装置を利用して、低コストかつ簡易な構成により、タンク内の気体圧力に関する情報を確認できるようにする。【解決手段】腕時計型ダイブコンピュータからベルト２７を除いたダイブコンピュータ本体２０と、気体が封入されたタンク内の圧力を検出する残圧検出装置３０とを嵌め込み可能に構成されたコンソール型ケース１０は、ダイブコンピュータ本体２０を収容するダイブコンピュータ収容部１１と、圧力検出装置を収容する残圧検出装置収容部１４とを有し、ダイブコンピュータ収容部１１には、ダイブコンピュータ本体２０が有する表示面２２を視認可能な状態でダイブコンピュータ本体２０を保持する蓋１３が設けられ、残圧検出装置収容部１４には残圧検出装置３０を保持する蓋１５が設けられている。【選択図】図２
2009166751.tif 000002
【特許請求の範囲】
【請求項１】
ベルトによって腕に装着される情報表示装置からベルトを除いた情報表示装置本体と、気体が封入されたタンク内の圧力を検出する圧力検出装置とを嵌め込み可能に構成され、
前記情報表示装置本体を収容する情報表示装置収容部と、前記圧力検出装置を収容する圧力検出装置収容部とを有し、
前記情報表示装置収容部には、前記情報表示装置本体が有する表示画面を視認可能な状態で前記情報表示装置本体を保持する蓋が設けられ、前記圧力検出装置収容部には前記圧力検出装置を保持する蓋が設けられたこと、
を特徴とする情報表示装置用ケース。
【請求項２】
前記圧力検出装置が検出した圧力を示す情報を無線送信する通信部を備え、
前記情報表示装置本体が前記圧力検出装置から無線送信された情報を受信する通信部を備え、この通信部により受信した情報を表示する機能を備えた構成である場合に、
前記情報表示装置本体と前記圧力検出装置とを、前記情報表示装置が備える通信部と前記圧力検出装置の通信部とが対向するように収容すること、
を特徴とする請求項１記載の情報表示装置用ケース。
【請求項３】
前記情報表示装置収容部と前記圧力検出装置収容部との間には光を透過させる通信路が形成され、前記情報表示装置収容部の蓋及び前記圧力検出装置収容部の蓋は、前記情報表示装置及び前記圧力検出装置を収容した状態で前記通信路への異物の進入を防止すること、
を特徴とする請求項２記載の情報表示装置用ケース。
【請求項４】
前記情報表示装置収容部に設けられた蓋は、前記情報表示装置本体が前記表示画面とともに備える操作子を露出させる開口部を有すること、
を特徴とする請求項１から３のいずれかに記載の情報表示装置用ケース。
【請求項５】
ベルトによって腕に装着される情報表示装置からベルトを除いた情報表示装置本体と、気体が封入されたタンク内の圧力を検出する圧力検出装置とを、情報表示装置用ケースに収容して構成され、
前記圧力検出装置は検出した圧力を示す情報を無線送信可能に構成され、
前記情報表示装置本体は、前記圧力検出装置から無線送信された情報を受信して表示する機能を備え、
前記情報表示装置用ケースにおいて、前記情報表示装置本体を収容する前記情報表示装置収容部に設けられた蓋により、前記情報表示装置本体が有する表示画面を視認可能な状態で前記情報表示装置本体を保持し、
前記圧力検出装置を収容する前記圧力検出装置収容部に設けられた蓋により前記圧力検出装置を保持すること、
を特徴とする情報表示システム。
【発明の詳細な説明】
【技術分野】
【０００１】
本発明は、情報表示装置を収める情報表示装置用ケース、及び、この情報表示装置用ケースを用いた情報表示システムに関する。
【背景技術】
【０００２】
従来、ダイビングの際に減圧管理を行うための各種情報を表示する情報表示装置（いわゆる、ダイブコンピュータ）が知られている。このようなダイブコンピュータの形態としては、腕に装着する腕時計型、及び、タンクに接続されたコンソールゲージ型が知られている（例えば、特許文献１参照）。
腕時計型のダイブコンピュータは容易に視認できる点等の利点がある。一方、コンソールゲージ型のダイブコンピュータは、通常、エアタンク内の圧力（残圧）を表示する圧力計と一体となっており、ダイブコンピュータとタンク内の圧力との両方を確認できる。
【特許文献１】特開２００２−１０４２８２号公報
【発明の開示】
【発明が解決しようとする課題】
【０００３】
腕時計型のダイブコンピュータはタンクから遠く離れているため、このダイブコンピュータを用いてタンク内の気体圧力に関する情報を確認できるようにするためには、例えば何らかの通信手段によってタンク内の圧力を検出する圧力計とダイブコンピュータとを接続する必要がある。ところが、このような構成は、水中においても確実な接続を保てるようにするため、複雑かつ大がかりで高コストなものとなることが予想される。
本発明は、上述した事情に鑑みてなされたものであり、腕時計型の情報表示装置を利用して、低コストかつ簡易な構成により、タンク内の気体圧力に関する情報を確認できるようにすることを目的とする。
【課題を解決するための手段】
【０００４】
上記目的を達成するために、本発明は、ベルトによって腕に装着される情報表示装置からベルトを除いた情報表示装置本体と、気体が封入されたタンク内の圧力を検出する圧力検出装置とを嵌め込み可能に構成され、前記情報表示装置本体を収容する情報表示装置収容部と、前記圧力検出装置を収容する圧力検出装置収容部とを有し、前記情報表示装置収容部には、前記情報表示装置本体が有する表示画面を視認可能な状態で前記情報表示装置本体を保持する蓋が設けられ、前記圧力検出装置収容部には前記圧力検出装置を保持する蓋が設けられたこと、を特徴とする情報表示装置用ケースを提供する。
【０００５】
上記構成において、前記圧力検出装置が検出した圧力を示す情報を無線送信する通信部を備え、前記情報表示装置本体が前記圧力検出装置から無線送信された情報を受信する通信部を備え、この通信部により受信した情報を表示する機能を備えた構成である場合に、前記情報表示装置本体と前記圧力検出装置とを、前記情報表示装置が備える通信部と前記圧力検出装置の通信部とが対向するように収容するものとしてもよい。
また、前記情報表示装置収容部と前記圧力検出装置収容部との間には光を透過させる通信路が形成され、前記情報表示装置収容部の蓋及び前記圧力検出装置収容部の蓋は、前記情報表示装置及び前記圧力検出装置を収容した状態で前記通信路への異物の進入を防止するものとしてもよい。
【０００６】
また、上記構成において、前記情報表示装置収容部に設けられた蓋は、前記情報表示装置本体が前記表示画面とともに備える操作子を露出させる開口部を有するものとしてもよい。
【０００７】
また、本発明は、ベルトによって腕に装着される情報表示装置からベルトを除いた情報表示装置本体と、気体が封入されたタンク内の圧力を検出する圧力検出装置とを、情報表示装置用ケースに収容して構成され、前記圧力検出装置は検出した圧力を示す情報を無線送信可能に構成され、前記情報表示装置本体は、前記圧力検出装置から無線送信された情報を受信して表示する機能を備え、前記情報表示装置用ケースにおいて、前記情報表示装置本体を収容する前記情報表示装置収容部に設けられた蓋により、前記情報表示装置本体が有する表示画面を視認可能な状態で前記情報表示装置本体を保持し、前記圧力検出装置を収容する前記圧力検出装置収容部に設けられた蓋により前記圧力検出装置を保持すること、を特徴とする情報表示システムを提供する。
【発明の効果】
【０００８】
本発明によれば、腕に装着される情報表示装置のベルトを外した情報表示装置本体を、気体が封入されたタンク内の圧力を検出する圧力検出装置とともに情報表示装置用ケースに収容して、情報表示装置の表示画面を視認可能な形態とするので、腕時計型の情報表示装置を利用して、低コストかつ簡易な構成により、タンク内の気体圧力に関する情報を確認することができる。さらに、情報表示装置本体と圧力検出装置とを情報表示装置用ケースに収容したユニット構造とすることで、サイズを小型化することが可能となる上、防水性能を高めることが可能となる。
【発明を実施するための最良の形態】
【０００９】
以下、図面を参照して本発明の実施の形態について説明する。
図１は、実施の形態に係るコンソール型ダイブコンピュータ１の外観斜視図である。また、図２はコンソール型ダイブコンピュータ１の分解斜視図である。図３は、コンソール型ダイブコンピュータ１の使用状態を説明する図である。
コンソール型ダイブコンピュータ１（情報表示システム）は、コンソール型ケース１０（情報表示装置用ケース）に、潜水時にダイバー（ユーザ）に対して情報を表示する機能を備えたダイブコンピュータ本体２０（情報表示装置本体）と、ダイバーが使用するエアタンク内の圧力を検出する残圧検出装置３０（圧力検出装置）とを収容して構成される。
【００１０】
ダイブコンピュータ本体２０の機能としては、潜水中のダイバーの深度や潜水時間を計算して表示するとともに、潜水中に体内に蓄積される不活性ガス量（主として窒素ガス量）を計測し、この計測結果から潜水後に水からあがった状態で体内に蓄積された窒素が排出されるまでの時間などの安全確保情報を表示する機能等がある。
コンソール型ダイブコンピュータ１の上面には、ダイブコンピュータ本体２０が備える表示面２２、及び、ダイブコンピュータ本体２０を操作するための複数のスイッチ２３を露出させることにより、ダイブコンピュータ本体２０による情報表示機能を実現する。
また、図２に示すように、コンソール型ケース１０に収容される残圧検出装置３０は、耐圧ホース３５及び切換バルブ・レギュレータ１０２（図３）を介してタンクユニット１０１（図３）に接続され、呼吸用の気体が封入されたタンク１０１Ａ、１０１Ｂ（図３）内の気体圧力を検出するセンサである。残圧検出装置３０は、検出した圧力を無線通信によりダイブコンピュータ本体２０に送信する機能を備え、ダイブコンピュータ本体２０は、残圧検出装置３０から送信される圧力の検出値を受信して、表示面２２に表示する機能を有する。
【００１１】
図３に示すように、コンソール型ダイブコンピュータ１は、ダイバーが使用する潜水装備１００の一部として、タンクユニット１０１及び切換バルブ・レギュレータ１０２とともに使用される。切換バルブ・レギュレータ１０２は、タンクユニット１０１のタンク１０１Ａ、１０１Ｂに接続されるファーストステージ１０２Ａ、ファーストステージ１０２Ａから気体を導く耐圧ホース１０２Ｂ、及び、ダイバーの口に装着されるセカンドステージ１０２Ｃからなり、コンソール型ダイブコンピュータ１の耐圧ホース３５は、ファーストステージ１０２Ａに接続される。
この図３に示す使用状態では、ダイバーは、タンクユニット１０１に繋がれたコンソール型ダイブコンピュータ１を見ることで、表示面２２に表示される各種の情報（潜水開始からの経過時間、潜水中に体内に蓄積される不活性ガス量、潜水後に水からあがった状態で体内に蓄積された窒素が排出されるまでの時間、タンク１０１Ａ、１０１Ｂ内の気体の圧力等）を知ることができる。
【００１２】
ここで、コンソール型ダイブコンピュータ１に収容されるダイブコンピュータ本体２０及び残圧検出装置３０の構成について説明する。
ダイブコンピュータ本体２０は、円盤状のケース２１に各部を収容し、このケース２１を完全水密状態となるよう閉鎖して構成される。ダイブコンピュータ本体２０の上面には表示面２２が設けられており、この表示面２２に、後述する液晶表示パネル２１１によって各種の情報が表示される。また、ダイブコンピュータ本体２０の上面には、表示面２２とともに、それぞれ水中判定センサ２７３（図６）に接続された２個の電極２４Ａ、２４Ｂが配設されている。水中判定センサ２７３は、電極２４Ａと電極２４Ｂとの間の電気抵抗値に基づいて、ダイブコンピュータ本体２０が水中にあるか否かを判定するセンサである。さらに、ダイブコンピュータ本体２０の上面には、ダイブコンピュータ本体２０の各種動作モードの選択／切替等の操作を行うためのプッシュボタン式の３個のスイッチ２３（操作子）が設けられている。
ケース２１の側面には圧力検出穴２５が穿設され、この圧力検出穴２５の内部には圧力センサ２５３（図６）が配設されている。圧力検出穴２５は、圧力センサ２５３によって周囲の気圧または水圧を正確に検出すべく、周囲の空気または水を圧力センサ２５３の検出部位まで導く穴である。
【００１３】
図４は、腕時計型ダイブコンピュータ２としてのダイブコンピュータ本体２０の使用状態を示す図であり、図５は、ダイブコンピュータ本体２０の表示面２２の構成を示す平面図である。また、図６はダイブコンピュータ本体２０の機能的構成を示すブロック図である。
ダイブコンピュータ本体２０の裏面には、ベルト２７を装着するベルト通し（図示略）が設けられており、このベルト通しにベルト２７を通すことで、図４に示すように、ダイブコンピュータ本体２０を腕に装着して使用できる。この状態で、ダイブコンピュータ本体２０は、腕時計型ダイブコンピュータ２（情報表示装置）として機能する。腕時計型ダイブコンピュータ２は、図３に示したタンク１０１Ａ、１０１Ｂ内の圧力を検出および表示する機能を持たない。従って、ダイブコンピュータ本体２０を腕時計型ダイブコンピュータ２として使用する場合、タンク１０１Ａ、１０１Ｂ内の圧力を検出および表示する市販の残圧ゲージ（図示略）をタンクユニット１０１に取り付けて、これとともに使用するか、或いは、腕時計型ダイブコンピュータ２のみで使用することとなる。
ダイブコンピュータ本体２０は、ベルト２７により腕に装着してもダイバーの動作を妨げない程度のサイズ及び重量となっており、スイッチ２３は、腕に装着した状態でも容易に操作可能な大型のスイッチとなっている。
【００１４】
図５に示すように、表示面２２においては、風防の内部に収容された液晶表示パネル２１１が視認可能となっている。ここで、表示面２２及び液晶表示パネル２１１は、スイッチ２３を避けて一部が欠けた円形に形成されているが、この形状に限定されるものではなく、真円、楕円、トラック形状、多角形状など他の形状であってもかまわない。
【００１５】
この液晶表示パネル２１１には、各種情報を表示する複数の表示領域が配されている。
図５中上部左側に位置する第１の表示領域２２１は、各表示領域のうちで最も大きく構成されている。第１の表示領域２２１には、ダイビングモード、サーフェスモード（時刻表示モード）、プランニングモード、ログモード等のダイブコンピュータ本体２０の各動作モードにおいて、それぞれ、現在の水深、現在の日時、水深ランク、潜水日時（ログ番号）が表示される。
第２の表示領域２２２は、第１の表示領域２２１の図中右側に配置されている。第２の表示領域２２２には、ダイビングモード、サーフェスモード（時刻表示モード）、プランニングモード、ログモードの各動作モードにおいて、それぞれ潜水時間、現在時刻、無減圧潜水可能時間、潜水開始時刻（潜水時間）が表示される。
【００１６】
第３の表示領域２２３は、図中で第１の表示領域２２１の下側に配置され、この第３の表示領域２２３には、ダイビングモード、サーフェスモード（時刻表示モード）、プランニングモード、ログモードの各動作モードにおいて、それぞれ、最大水深、体内窒素排出時間、セーフティレベル、最大水深（平均水深）が表示される。
第４の表示領域２２４は、図中で第３の表示領域２２３の右側に配置される。第４の表示領域２２４には、ダイビングモード、サーフェスモード（時刻表示モード）、プランニングモード、ログモードの各動作モードにおいて、それぞれ無減圧潜水可能時間、水面休止時間、温度、潜水終了時刻（最大水深時水温）が表示される。
【００１７】
第５の表示領域２２５は、図中で第３の表示領域２２３の下側に配置され、電源容量切れを表示する電源容量切れ警告を表示する。第６の表示領域２２６は、図中の下部左側に配置され、体内に残存する窒素ガス（不活性ガス）の量をグラフ表示する。第７の表示領域２２７は、図中で第６の表示領域２２６の右側に配置され、ダイビングモードで減圧潜水状態になった場合に、窒素ガス（不活性ガス）が吸収傾向にあるのか、排出傾向にあるかを示す領域（図中、上下方向矢印が図示されている）と、浮上速度が高すぎる場合に浮上速度違反警告のひとつとして減速を指示するための「ＳＬＯＷ」を表示する領域と、潜水中に減圧潜水を行わなければならない旨を警告するための「ＤＥＣＯ」を表示する領域と、を備えて構成されている。
また、図中上部にはタンクデータ表示部２２９が配置され、このタンクデータ表示部２２９に、残圧検出装置３０により検出されたタンク１０１Ａ、１０１Ｂ内の圧力が表示される。
【００１８】
図６に示すように、ダイブコンピュータ本体２０は、各部を制御してダイブコンピュータ本体２０としての機能を実現する制御系２００に、各部が接続されて構成される。
制御系２００は、各種プログラムを実行してデータの処理を行うＣＰＵ２０１、ＣＰＵ２０１により実行されるプログラムや処理されるデータ等を記憶するＲＯＭ２０２、ＣＰＵ２０１により実行されるプログラムや処理対象のデータ等を一時的に記憶するＲＡＭ２０３、ダイブコンピュータ本体２０が備える各種デバイスを制御する制御回路２０４を有する。
【００１９】
ＣＰＵ２０１には、液晶表示パネル２１１と、液晶表示パネル２１１を駆動して各種情報を表示させる液晶ドライバ２１２とからなる表示部２１０が接続されている。制御系２００は、ＣＰＵ２０１の制御のもとに液晶ドライバ２１２を駆動して、液晶表示パネル２１１に各動作モードに対応した表示を行わせる。
また、ＣＰＵ２０１には、ダイバーに対して振動により警報を報知すべく振動を発生させる振動発生部２３１と、音声により警報を報知するため音声を出力する報音部２３２とが接続されている。これら振動発生部２３１、報音部２３２は、例えば、浮上速度が速すぎる場合、潜水開始からの時間が設定された時間を超過した場合、設定された深度を超えた場合などに、ダイバーに注意を促すために振動やアラーム音を出力する。
また、ＣＰＵ２０１には、ダイブコンピュータ本体２０への操作を検出する操作部２３３と、残圧検出装置３０との間で通信を行う通信部２３４とが接続されている。操作部２３３は、ダイブコンピュータ本体２０の上面に配設されたスイッチ２３における操作を検出し、検出した操作に対応する操作信号をＣＰＵ２０１に出力する。
【００２０】
通信部２３４は、無線電波、赤外線や可視光線を用いた光通信、或いは、可聴音波や超音波を搬送波として利用する通信等の手段により、残圧検出装置３０との間で無線通信を行う。本実施の形態の通信部２３４は、一例として、赤外光を発するＬＥＤ等の光源（図示略）と、赤外光を受光するフォトダイオード等の受光部（図示略）とを備え、これらを用いて赤外線通信を実行する。図２に示したように、ダイブコンピュータ本体２０のケース２１には、スイッチ２３側の側面に通信用窓部２６が設けられている。この通信用窓部２６は、赤外光を透過させる材料で覆われており、通信用窓部２６の内側には上記の光源および受光部が配設されている。通信部２３４は、光源と受光部とを用いて、残圧検出装置３０との間で通信を実行する。この通信部２３４は、通信用窓部２６とともに通信部として機能する。
【００２１】
また、ダイブコンピュータ本体２０は、所定周波数の発振信号を出力する発振回路２４３と、発振回路２４３が出力した発振信号を分周する分周回路２４２とを備えている。分周回路２４２により分周された信号は、ＣＰＵ２０１及び制御回路２０４の制御に従って秒単位で時刻を計時する時刻用カウンタ２４１に入力される。また、分周回路２４２の出力信号は、後述するＡ／Ｄ変換回路２５１、２６１、２７１に動作クロック信号として入力される。
ＣＰＵ２０１には、Ａ／Ｄ変換回路２５１及び増幅回路２５２を介して圧力センサ２５３が接続されている。圧力センサ２５３は圧力検出穴２５（図２）の内部に配設されたセンサであり、ダイブコンピュータ本体２０の周囲の気圧または水圧を検出する。圧力センサ２５３が検出した圧力に対応するアナログ信号を出力すると、このアナログ信号は増幅回路２５２によって増幅され、Ａ／Ｄ変換回路２５１によってデジタルデータに変換されて、ＣＰＵ２０１に入力される。
また、ダイブコンピュータ本体２０は、周囲の温度を検出する温度センサ２６３を備え、温度センサ２６３が検出した温度に対応するアナログ信号を出力すると、このアナログ信号は増幅回路２６２によって増幅され、Ａ／Ｄ変換回路２６１によってデジタルデータに変換されて、ＣＰＵ２０１に入力される。
ダイブコンピュータ本体２０は、電極２４Ａ（図５）と電極２４Ｂ（図５）との間の電気抵抗値を測定することによってダイブコンピュータ本体２０が水中にあるか否かを判定する水中判定センサ２７３を有する。水中判定センサ２７３が出力するアナログ信号は、増幅回路２７２によって増幅され、Ａ／Ｄ変換回路２７１によってデジタルデータに変換されて、ＣＰＵ２０１に入力される。
【００２２】
このように構成されるダイブコンピュータ本体２０は、制御系２００の制御のもとに、スイッチ２３の操作によって指定された動作モードで動作し、ダイビングモードにおいては、潜水開始が指示されてからの経過時間や、温度センサ２６３により計測した温度、圧力センサ２５３の検出値から求めた水深、これらの情報に基づいて算出した体内の蓄積不活性ガス量、残圧検出装置３０から送信されたタンク１０１Ａ、１０１Ｂ内の圧力（残圧）、現在時刻等を表示するとともに、必要に応じて、振動発生部２３１、報音部２３２による報知を行う。これにより、潜水中のダイバーに対して重要な情報を的確に提供し、安全かつ円滑なダイビングの進行を補助する。
また、ダイブコンピュータ本体２０は、サーフェスモード（時刻表示モード）においては現在時刻の表示を行い、プランニングモードやログモードにおいては、スイッチ２３の操作に従って、過去にダイビングモードで取得・表示した情報を出力する動作や、指定された条件に従ってシミュレーションを行った結果を出力する動作を行う。
【００２３】
図７は残圧検出装置３０の構成を示す外観斜視図であり、図８は残圧検出装置３０の機能的構成を示すブロック図である。
図７に示すように、残圧検出装置３０は、略円筒形状の本体３１に各部を収容して構成される。本体３１は水密状態に密閉されており、本体３１の一端部においてのみ開口し、この開口部には耐圧ホース３５が密に連結されている。耐圧ホース３５はファーストステージ１０２Ａ（図３）に接続されており、本体３１の内部は、耐圧ホース３５を通じてタンク１０１Ａ、１０１Ｂの内圧と同じ圧力となる。
本体３１の側面には複数の（図７では２個の）爪部３２が立設されている。爪部３２は、残圧検出装置３０がコンソール型ケース１０に収容された状態で脱落を防止するためのものである。
また、本体３１の先端には、通信用窓部３４が配設されている。
【００２４】
図８に示すように、残圧検出装置３０の制御系は、制御部３０１に、圧力センサ３０２、通信部３０３、報知部３０４、及び機器判定部３０５の各部が接続されて構成され、これらの各部が制御部３０１の制御の元に動作する。
圧力センサ３０２は、耐圧ホース３５の内部に連通する室（図示略）に配設され、この室の内圧、すなわちタンク１０１Ａ、１０１Ｂの内部の圧力を検出して、検出値を制御部３０１に出力する。
【００２５】
通信部３０３は、無線電波、赤外線や可視光線を用いた光通信、或いは、可聴音波や超音波を搬送波として利用する通信等の手段により、ダイブコンピュータ本体２０との間で無線通信を行う。本実施の形態の通信部３０３は、一例として、赤外光を発するＬＥＤ等の光源（図示略）と、赤外光を受光するフォトダイオード等の受光部（図示略）とを備え、これらを用いて赤外線通信を実行する。
図７に示したように本体３１の先端には通信用窓部３４が設けられている。通信用窓部３４は赤外光を透過させる材料で覆われており、通信用窓部３４の内側には上記の光源および受光部が配設されている。通信部３０３は、光源と受光部とを用いて、制御部３０１の制御に従ってダイブコンピュータ本体２０との間で通信を実行する。
通信部３０３は、通信用窓部３４とともに通信部として機能する。
報知部３０４は、制御部３０１の制御のもとに、例えば図８に示す各部を駆動する電源の残量不足等が生じた場合に、警報として音声や振動を出力する。
機器判定部３０５は、制御部３０１の制御に従って、通信部３０３の動作により通信可能となった相手機器の機種を判別する。機器判定部３０５は、例えば、通信先となり得る機器の機種と、各機種が使用するプロトコルとを対応づけて記憶している。
【００２６】
このように構成される残圧検出装置３０は、制御部３０１の制御により、タンク１０１Ａ、１０１Ｂ内の圧力を圧力センサ３０２によって検出し、検出した圧力の検出値を、通信部３０３を介してダイブコンピュータ本体２０に送信する。ここで、ダイブコンピュータ本体２０と最初に通信を行う場合、制御部３０１は、通信部３０３によって通信可能となった時点で相手先の機種を機器判定部３０５によって判別し、相手先の機器が通信可能な機器として予め機器判定部３０５に記憶された機器であれば、その機器に適したプロトコルで通信を実行する。また、制御部３０１は、残圧検出装置３０の各部を駆動する電源の残量が所定のしきい値を下回った場合等に、報知部３０４によって警報を報知する。
【００２７】
図２に戻り、コンソール型ケース１０は、ダイブコンピュータ本体２０を収容するダイブコンピュータ収容部１１（情報表示装置収容部）と、コンソール型ケース１０に対してヒンジ１２を介して開閉可能に取り付けられた蓋１３とを有する。ダイブコンピュータ収容部１１は、ダイブコンピュータ本体２０のケース２１の外形形状に合わせて形成された円形の凹部であり、その底面には、係止爪１１Ａが配設されている。係止爪１１Ａは、ケース２１の裏面にベルト２７を装着するために形成されたベルト通し（図示略）に係合して、ダイブコンピュータ本体２０を保持し、意図しない離脱を防止する。
蓋１３はダイブコンピュータ収容部１１の上面を覆う円盤状の蓋であり、略中央には、円形の窓１３Ａ（開口部）が開口している。窓１３Ａは、ダイブコンピュータ収容部１１にダイブコンピュータ本体２０を収容した状態で、ダイブコンピュータ本体２０が有する表示面２２、スイッチ２３、及び電極２４Ａ、２４Ｂをコンソール型ケース１０の外部に露出させる開口部である。
ダイブコンピュータ収容部１１の側壁には、コンソール型ケース１０の内外に連通する導水孔１９が穿設されている。導水孔１９は、ダイブコンピュータ本体２０が備える圧力検出穴２５に、コンソール型ケース１０の外部の水を導く貫通孔である。導水孔１９は、水中を漂う藻等の異物により塞がれた場合でも正常に水を導けるように、複数設けられている。
【００２８】
また、コンソール型ケース１０は、残圧検出装置３０を収容する残圧検出装置収容部１４（圧力検出装置収容部）と、残圧検出装置収容部１４の上部を覆う開閉可能な蓋１５とを有する。残圧検出装置収容部１４及び蓋１５は、断面半円の筒形状となっており、残圧検出装置収容部１４に蓋１５を被せた状態で、内部に円筒形状の空間が形成されるように構成され、この空間に残圧検出装置３０を収容可能となっている。残圧検出装置３０が有する略円筒形状の本体３１の側面には、上述のように爪部３２が立設されており、蓋１５の内面には、爪部３２を収めるための凹部１５Ａが形成されている。従って、残圧検出装置収容部１４に残圧検出装置３０を収容して蓋１５を閉じることで、爪部３２が凹部１５Ａに嵌合し、残圧検出装置３０がコンソール型ケース１０に確実に保持される。
【００２９】
ここで、ダイブコンピュータ収容部１１と残圧検出装置収容部１４とを仕切る部分には、導光孔１６（通信路）が設けられている。導光孔１６は、ダイブコンピュータ収容部１１内と残圧検出装置収容部１４内とに連通する貫通孔である。
ダイブコンピュータ収容部１１には、上述した通信用窓部２６が残圧検出装置収容部１４側を向くように、ダイブコンピュータ本体２０が収容される。一方、残圧検出装置収容部１４には、通信用窓部３４（図７）がダイブコンピュータ収容部１１側を向くように、残圧検出装置３０が収容される。そして、ダイブコンピュータ本体２０が備える通信用窓部２６と、残圧検出装置３０が備える通信用窓部３４とが、導光孔１６を介して向き合うことになり、例えば、通信用窓部２６と通信用窓部３４との間で赤外線や可視光線を利用した通信を行う場合、赤外線や可視光線が遮られることがなく、確実に通信を行うことができる。また、蓋１３は、窓１３Ａの縁がダイブコンピュータ本体２０の上面にほぼ密着する構成となっており、この縁にポリウレタン樹脂や合成ゴム等の可撓性に富む材料を敷設して、より密着度を高める構成としてもよい。また、残圧検出装置収容部１４及び蓋１５は、本体３１の外形形状に合わせて構成され、残圧検出装置３０をほぼ隙間無く収容可能となっている。このため、コンソール型ケース１０にダイブコンピュータ本体２０と残圧検出装置３０とを収容した状態で、導光孔１６に外部からの異物が進入する可能性は殆どなく、導光孔１６を介した通信が妨げられるおそれはない。
【００３０】
従って、コンソール型ケース１０にダイブコンピュータ本体２０及び残圧検出装置３０を収容することで構成されるコンソール型ダイブコンピュータ１は、ダイブコンピュータ本体２０の機能により、潜水中に減圧管理に必要な情報を表示する情報表示装置として機能し、さらに、タンク１０１Ａ、１０１Ｂの残圧を検出して表示する機能を発揮することができる。
そして、このようなコンソール型ダイブコンピュータ１を、ベルト２７を取り付ければ腕時計型ダイブコンピュータ２として使用可能なダイブコンピュータ本体２０を用いて構成可能としたので、腕時計型ダイブコンピュータ２を有するユーザ（ダイバー）が、コンソール型ケース１０と残圧検出装置３０とを用意すれば、容易にコンソール型ダイブコンピュータ１を実現できる。
【００３１】
以上のように、本発明を適用した実施の形態に係るコンソール型ダイブコンピュータ１によれば、ベルト２７によって腕に装着される腕時計型ダイブコンピュータ２からベルト２７を除いたダイブコンピュータ本体２０と、タンク１０１Ａ、１０１Ｂ内の気体圧を検出する残圧検出装置３０とを、ダイブコンピュータ本体２０を収容するダイブコンピュータ収容部１１と、残圧検出装置３０を収容する残圧検出装置収容部１４とを有し、ダイブコンピュータ収容部１１には、ダイブコンピュータ本体２０が有する表示面２２を視認可能な状態でダイブコンピュータ本体２０を保持する蓋１３が設けられ、残圧検出装置収容部１４には残圧検出装置３０を保持する蓋１５が設けられたコンソール型ケース１０に収容するので、ダイブコンピュータ本体２０を、気体が封入されたタンク内の圧力を検出する残圧検出装置３０とともにコンソール型ケース１０に収容して、コンソール型ダイブコンピュータ１を実現できる。これにより、腕時計型ダイブコンピュータ２のダイブコンピュータ本体２０を気体が封入されたタンク内の圧力を検出する残圧検出装置３０と一体にコンソール型ケース１０に収めるという簡単な構成により、腕時計型の腕時計型ダイブコンピュータ２を利用して、低コストかつ簡易にコンソール型ダイブコンピュータ１を構成し、タンク内の気体圧力に関する情報を確認することができる。
さらに、ダイブコンピュータ本体２０と残圧検出装置３０とをコンソール型ケース１０に収容したユニット構造とすることで、例えばダイブコンピュータ本体２０に残圧検出装置３０を外部接続した場合や、別体として使用する場合に比べて、サイズを小型化することが可能となる。また、ダイブコンピュータ本体２０と残圧検出装置３０とがコンソール型ケース１０に収容され、このコンソール型ケースにより保護されるので、ダイブコンピュータ本体２０及び残圧検出装置３０の内部に水が侵入しにくくなる。従って、防水性能をより一層高めることが可能となる。
【００３２】
そして、コンソール型ケース１０は、残圧検出装置３０が有する通信部３０３の通信用窓部３４と、ダイブコンピュータ本体２０が有する通信部２３４の通信用窓部２６とが対向するように、ダイブコンピュータ本体２０及び残圧検出装置３０を収容するので、残圧検出装置３０が送信した情報が腕時計型ダイブコンピュータ２によって確実に受信され、表示される。これにより、腕時計型の腕時計型ダイブコンピュータ２にタンク内の気体圧力に関する情報を表示するので、低コストかつ簡易な構成により、タンク内の気体圧力に関する情報を確認することができる。
【００３３】
この場合、残圧検出装置３０と腕時計型ダイブコンピュータ２の間の無線通信が、赤外線や可視光線を使用した通信方式であっても、無線電波を使用した通信方式であっても、その具体的な方式にかかわらず、互いの通信部を対向させることで、通信障害が殆ど発生せず、極めて高い確実性で通信を行える。このため、残圧検出装置３０から腕時計型ダイブコンピュータ２への情報送信が確実に行われるので、高い信頼性を確保できる。
特に、通信用窓部２６と通信用窓部３４との間には導光孔１６が設けられているので、ダイブコンピュータ本体２０と残圧検出装置３０とが赤外線や可視光線等の光を利用した通信を行う場合に、水中であっても陸上であっても、確実な通信を行うことができる。加えて、蓋１３及び蓋１５を閉じた状態では導光孔１６に外部の異物が進入しない構成となっているため、より確実に通信を行える。さらに、通信用窓部２６と通信用窓部３４とが無線電波等を用いて通信を行う構成においても、コンソール型ケース１０の材料による影響を受けることなく確実に通信を行うことができるという利点がある。
なお、導光孔１６は、完全な貫通孔または空間に限らず、例えば、透光性を有する窓や蓋により閉鎖されていてもよい。
また、導光孔１６に高い透光性を有する材料を充填してもよい。この場合、導光孔１６を介した光通信を確実に行うことが可能であり、かつ、導光孔１６への異物の進入が確実に防止されるという利点がある。
【００３４】
このように構成されるコンソール型ダイブコンピュータ１は、ダイブコンピュータ本体２０の表示面２２とスイッチ２３とを露出させることで、ダイブコンピュータ本体２０が備える機能を全て活用することができ、さらに、残圧検出装置３０からダイブコンピュータ本体２０へタンク１０１Ａ、１０１Ｂ内の気体圧力に関する情報を送信して表示面２２に表示する機能をも有した、極めて利便性の高いダイブコンピュータとして機能する。そして、腕時計型ダイブコンピュータ２に、外部の残圧検出装置３０から情報を無線送信する場合に比べて、通信の確実性および信頼性が極めて高い上に、腕時計型ダイブコンピュータ２と残圧検出装置３０とを一体型とすることで情報を容易に確認できるという利点がある。また、単に腕時計型ダイブコンピュータ２を所有するダイバー（ユーザ）が、ダイブコンピュータ本体２０を、腕時計型としてもコンソール型としても利用できるので、ダイビングの条件や好みに応じて、様々な形態でダイブコンピュータ本体２０を活用できるという利点もある。
【００３５】
また、ダイブコンピュータ収容部１１に設けられた蓋１３の窓１３Ａは、ダイブコンピュータ本体２０が備える表示面２２と、表示面２２に隣接して備えるスイッチ２３を露出させるので、コンソール型ダイブコンピュータ１において、ダイブコンピュータ本体２０の機能を完全に実現できる。
【００３６】
なお、上述した実施の形態は、あくまでも本発明の一態様を示すものであり、本発明の範囲内で任意に変形および応用が可能である。
例えば、上記実施形態では、コンソール型ケース１０に１台のダイブコンピュータ本体２０と１台の残圧検出装置３０のみを収容する構成としたが、本発明はこれに限定されるものではなく、例えば、タンク１０１Ａ、１０１Ｂ内の圧力を指針表示する残圧ゲージ等、他の機器を合わせて収容可能な構成としてもよい。また、コンソール型ダイブコンピュータ１は耐圧ホース３５によってファーストステージ１０２Ａに接続される構成としたが、耐圧ホース３５に加えて、補助的な機構によりタンクユニット１０１やダイバーの腕等に固定されてもよい。
また、上記実施の形態において、ベルト２７を構成する材料は合成樹脂や合成ゴム、或いは合成または天然繊維のいずれであってもよく、ベルト２７をケース２１に取り付けるベルト通しの形状や材料も任意であって、単にベルト２７を孔に通すような形態だけでなく、ベルト２７にケース２１を着脱可能な形状であれば限定されない。同様に、コンソール型ケース１０を構成する材料についても、金属、合成樹脂、合成ゴムまたはこれらの複合材料等が挙げられるが、水中における実用性が達成され得るならばどのような材料を用いてもよい。
【００３７】
さらに、上記実施の形態では、ダイブコンピュータ本体２０を制御するための制御プログラムが予めＲＯＭ２０２に記憶されている場合について説明したが、各種磁気ディスク、光ディスク、メモリカードなどの記録媒体に制御用プログラムをあらかじめ記録し、これらの記録媒体から読み込み、ダイブコンピュータ本体２０にインストールするように構成することも可能である。また、通信インターフェースを設け、インターネット、ＬＡＮなどのネットワークを介してダイブコンピュータ本体２０が制御用プログラムをダウンロードし、インストールして実行するように構成することも可能である。このように構成することにより、ソフトウェア的により高機能としたり、より信頼性の高いダイブコンピュータを構成したりすることが可能となる。
【図面の簡単な説明】
【００３８】
【図１】実施の形態に係るコンソール型ダイブコンピュータの外観斜視図である。
【図２】コンソール型ダイブコンピュータの分解斜視図である。
【図３】コンソール型ダイブコンピュータの使用状態を示す図である。
【図４】腕時計型ダイブコンピュータの使用状態を示す図である。
【図５】ダイブコンピュータ本体の表示画面の構成を示す平面図である。
【図６】ダイブコンピュータ本体の機能的構成を示すブロック図である。
【図７】残圧検出装置の構成を示す外観斜視図である。
【図８】残圧検出装置の機能的構成を示すブロック図である。
【符号の説明】
【００３９】
１…コンソール型ダイブコンピュータ（情報表示システム）、２…腕時計型ダイブコンピュータ（情報表示装置）、１０…コンソール型ケース（情報表示装置用ケース）、１１…ダイブコンピュータ収容部（情報表示装置収容部）、１１Ａ…係止爪、１２…ヒンジ、１３…蓋、１３Ａ…窓（開口部）、１４…残圧検出装置収容部（圧力検出装置収容部）、１５…蓋、１５Ａ…凹部、１６…導光孔（通信路）、１９…導水孔、２０…ダイブコンピュータ本体（情報表示装置本体）、２１…ケース、２２…表示面、２３…スイッチ（操作子）、２４Ａ、２４Ｂ…電極、２５…圧力検出穴、２６…通信用窓部（通信部）、２７…ベルト、３０…残圧検出装置（圧力検出装置）、３１…本体、３２…爪部、３４…通信用窓部（通信部）、３５…耐圧ホース、１００…潜水装備、１０１…タンクユニット、１０１Ａ、１０２Ｂ…タンク、１０２…切換バルブ・レギュレータ、１０２Ａ…ファーストステージ、２０１…ＣＰＵ、２１０…表示部、２１１…液晶表示パネル、２２１…第１の表示領域、２２２…第２の表示領域、２２３…第３の表示領域、２２４…第４の表示領域、２２５…第５の表示領域、２２６…第６の表示領域、２２７…第７の表示領域、２２９…タンクデータ表示部、２３４…通信部、２５３…圧力センサ、２６３…温度センサ、２７３…水中判定センサ、３０１…制御部、３０２…圧力センサ、３０３…通信部。
【図１】
2009166751.tif 000003
【図２】
2009166751.tif 000004
【図３】
2009166751.tif 000005
【図４】
2009166751.tif 000006
【図５】
2009166751.tif 000007
【図６】
2009166751.tif 000008
【図７】
2009166751.tif 000009
【図８】
2009166751.tif 000010